(57)【要約】【課題】  腕時計ケースに対して時計バンドが相対的に回転しても、ねじ部材が緩むことがなく、時計バンドを腕時計ケースに確実に取り付けることができる時計バンドの取付構造を提供する。【解決手段】  腕時計ケース１の側部に設けられた一対の取付突起部５の各取付孔７と時計バンド３の先端部に設けられた貫通孔９とにパイプ部材１０を挿入し、このパイプ部材１０の両側から第１、第２の各ねじ部材１１、１２を挿入させて螺合させた際に、パイプ部材１０と第１、第２の各ねじ部材１１、１２との間に隙間Ｓ２、Ｓ３を設けた。従って、腕時計ケース１に対して時計バンド３をパイプ部材１０を中心に相対的に回転させた際、腕時計ケース１に対する時計バンド３の相対的な回転力が、パイプ部材１０に伝わっても、第１、第２の各ねじ部材１１、１２に伝わることがないので、各ねじ部材１１、１２が緩むことがなく、確実に時計バンド３を腕時計ケース１に取り付けることができる。【選択図】        図１
2010112921.tif 000002
【特許請求の範囲】
【請求項１】
側部に設けられた一対の取付突起部にそれぞれ取付孔が形成された腕時計ケースと、
前記一対の取付突起部の間に配置される先端部に貫通孔が前記一対の取付突起部の前記各取付孔に対応して連続する状態で形成された時計バンドと、
前記一対の取付突起部の前記各取付孔および前記時計バンドの前記貫通孔に連続して挿入する筒状部材と、
この筒状部材の一端部からその内部に挿入される雄ねじ部が形成された第１のねじ部材と、
前記筒状部材の他端部からその内部に挿入されて前記雄ねじ部が螺合する雌ねじ部が形成された第２のねじ部材とを備え、
前記筒状部材と前記第１、第２の各ねじ部材との間に隙間を設けたことを特徴とする時計バンドの取付構造。
【請求項２】
前記筒状部材は、その長さが前記一対の取付突起部にそれぞれ設けられた前記各取付孔に跨る長さと同じかそれよりも長く形成されており、
前記第２のねじ部材は、前記筒状部材に挿入される前記雌ねじ部側の長さが前記筒状部材の長さよりも長く形成されていることを特徴とする請求項１に記載の時計バンドの取付構造。
【請求項３】
前記筒状部材は、その長さが前記一対の取付突起部にそれぞれ設けられた前記各取付孔に跨る長さと同じかそれよりも短く形成されており、
前記第２のねじ部材は、前記筒状部材に挿入される前記雌ねじ部側の長さが前記筒状部材の両端部に位置する前記各取付孔に跨る長さよりも長く形成されていることを特徴とする請求項１に記載の時計バンドの取付構造。
【請求項４】
前記第２のねじ部材は、前記雌ねじ部の外径が前記筒状部材の内径よりも小さく形成されていることを特徴とする請求項１〜請求項３のいずれに記載の時計バンドの取付構造。
【発明の詳細な説明】
【技術分野】
【０００１】
この発明は、腕時計に用いられる時計バンドの取付構造に関する。
【背景技術】
【０００２】
従来、時計バンドの取付構造においては、特許文献１に記載されているように、腕時計ケースの側部に設けられたバンド取付部の一対の取付突起部にそれぞれ取付孔を設け、このバンド取付部における一対の取付突起部の間に配置される時計バンドの先端部に貫通孔を設け、腕時計ケース側の各取付孔と時計バンド側の貫通孔とを対応させて連続させ、この状態で腕時計ケース側の取付孔と時計バンド側の貫通孔とにパイプ部材を連続させて挿入し、この挿入されたパイプ部材の両側のねじ孔部にそれぞれねじ部材を螺合させて締め付けることにより、腕時計ケースに時計バンドを取り付けるように構成したものが知られている。
【特許文献１】特開平１１−２１１号
【発明の開示】
【発明が解決しようとする課題】
【０００３】
しかしながら、このような従来の時計バンドの取付構造では、腕時計ケース側の取付孔と時計バンド側の貫通孔とに挿入したパイプ部材の両側にねじ部材を螺合させて、両側のねじ部材の頭部をバンド取付部の一対の取付突起部に圧接させているため、腕時計ケースに時計バンドを確実に取り付けることができても、時計バンドがパイプ部材を中心に腕時計ケースに対して相対的に回転するときに、その回転力がパイプ部材に伝わることになり、これによりねじ部材が徐々に緩み、ねじ部材がパイプ部材から外れるという問題があった。
【０００４】
この発明が解決しようとする課題は、腕時計ケースに対して時計バンドが相対的に回転しても、ねじ部材が緩むことがなく、時計バンドを腕時計ケースに確実に取り付けることができる時計バンドの取付構造を提供することである。
【課題を解決するための手段】
【０００５】
この発明は、上記課題を解決するために、次のような構成要素を備えている。
請求項１に記載の発明は、側部に設けられた一対の取付突起部にそれぞれ取付孔が形成された腕時計ケースと、前記一対の取付突起部の間に配置される先端部に貫通孔が前記一対の取付突起部の前記各取付孔に対応して連続する状態で形成された時計バンドと、前記一対の取付突起部の前記各取付孔および前記時計バンドの前記貫通孔に連続して挿入する筒状部材と、この筒状部材の一端部からその内部に挿入される雄ねじ部が形成された第１のねじ部材と、前記筒状部材の他端部からその内部に挿入されて前記雄ねじ部が螺合する雌ねじ部が形成された第２のねじ部材とを備え、前記筒状部材と前記第１、第２の各ねじ部材との間に隙間を設けたことを特徴とする時計バンドの取付構造である。
【０００６】
請求項２に記載の発明は、前記筒状部材の長さが、前記一対の取付突起部にそれぞれ設けられた前記各取付孔に跨る長さと同じかそれよりも長く形成されており、前記第２のねじ部材は、前記筒状部材に挿入される前記雌ねじ部側の長さが前記筒状部材の長さよりも長く形成されていることを特徴とする請求項１に記載の時計バンドの取付構造である。
【０００７】
請求項３に記載の発明は、前記筒状部材の長さが、前記一対の取付突起部にそれぞれ設けられた前記各取付孔に跨る長さと同じかそれよりも短く形成されており、前記第２のねじ部材は、前記筒状部材に挿入される前記雌ねじ部側の長さが前記筒状部材の両端部に位置する前記各取付孔に跨る長さよりも長く形成されていることを特徴とする請求項１に記載の時計バンドの取付構造である。
【０００８】
請求項４に記載の発明は、前記第２のねじ部材における前記雌ねじ部の外径が前記筒状部材の内径よりも小さく形成されていることを特徴とする請求項１〜請求項３のいずれかに記載の時計バンドの取付構造である。
【発明の効果】
【０００９】
この発明によれば、腕時計ケースに対して時計バンドが筒状部材を中心に相対的に回転する際、腕時計ケースに対する時計バンドの相対的な回転力が筒状部材に伝わっても、筒状部材と第１、第２の各ねじ部材との間に設けられた隙間によって、腕時計ケースに対する時計バンドの相対的な回転力が第１、第２の各ねじ部材に伝わるのを防ぐことができる。このため、ねじ部材が緩むことがなく、確実に時計バンドを腕時計ケースに取り付けることができる。
【発明を実施するための最良の形態】
【００１０】
（実施形態１）
以下、図１〜図４を参照して、この発明を腕時計に適用した実施形態１について説明する。
この腕時計は、図１および図２に示すように、腕時計ケース１を備えている。この腕時計ケース１は、金属または合成樹脂からなり、１２時側と６時側との各側部（図１では６時側の側部のみを示す）には、バンド取付部２がそれぞれ設けられている。このバンド取付部２には、時計バンド３がバンド取付部材４によって取り付けられている。
【００１１】
この場合、腕時計ケース１のバンド取付部２は、図１および図２に示すように、腕時計ケース１の側部から外部側方（図１では手前側）に向けて突出して設けられた一対の取付突起部５と、この一対の取付突起部５の間に設けられた装着凹部６とを備えている。一対の取付突起部５には、取付孔７が互いに対向して貫通した状態でそれぞれ設けられている。この取付孔７は、一対の取付突起部５が互いに対向する各内部側にそれぞれ形成された小径部７ａと、その各外部側にそれぞれ形成された座ぐり部７ｂとを有している。
【００１２】
一方、時計バンド３の先端部、つまり腕時計ケース１のバンド取付部２に対応する時計バンド３の先端部には、図１および図２に示すように、バンド取付部２の装着凹部６に挿入する装着凸部８が設けられている。この装着凸部８には、バンド取付部２における一対の取付突起部５の各取付孔７に対応して連続する貫通孔９が設けられている。この貫通孔９は、一対の取付突起部５の各取付孔７における内部側に位置する各小径部７ａの内径よりも大きく形成され、装着凸部８が装着凹部６に挿入された際に、貫通孔９の両端部が一対の取付突起部５における各取付孔７の小径部７ａにそれぞれ対応するように構成されている。
【００１３】
ところで、バンド取付部材４は、図１および図２に示すように、バンド取付部２における一対の取付突起部５の各取付孔７および時計バンド３の装着凸部８の貫通孔９に連続して挿入するパイプ部材１０と、このパイプ部材１０の一端部（図１では右端部）からその内部に挿入される雄ねじ部１１ａが形成された第１のねじ部材１１と、パイプ部材１０の他端部（図１では左端部）からその内部に挿入されて第１のねじ部材１１の雄ねじ部１１ａが螺合する雌ねじ部１２ａが形成された第２のねじ部材１２とを備えている。
【００１４】
この場合、パイプ部材１０は、その外径がバンド取付部２の一対の取付突起部５に設けられた各取付孔７の小径部７ａの内径とほぼ同じ大きさに形成され、且つ時計バンド３の貫通孔９の内径よりも小さく形成されている。これにより、パイプ部材１０は、図３に示すように、貫通孔９内に隙間Ｓ１をもって挿入されるように構成されている。また、このパイプ部材１０は、図３に示すように、その長さＫ１が一対の取付突起部５にそれぞれ互いに対向して設けられた各取付孔７の小径部７ａに跨る長さＫ２とほぼ同じか、それよりも少し長く（Ｋ１≧Ｋ２）形成されている。
【００１５】
第１のねじ部材１１は、図３および図４に示すように、外周面に雄ねじが形成された雄ねじ部１１ａと、この雄ねじ部１１ａの外径よりも大きく形成された頭部１１ｂとからなり、雄ねじ部１１ａがパイプ部材１０の一端部（図１では右端部）からその内部に挿入し、頭部１１ｂがバンド取付部２における一対の取付突起部５の一方（図３では右端部側）に位置する取付孔７の座ぐり部７ｂ内に配置されるように構成されている。
【００１６】
第２のねじ部材１２は、図２および図３に示すように、先端部側(図２では右端部側)にねじ穴１２ｃが形成された雌ねじ部１２ａと、この雌ねじ部１２ａの外径よりも大きく形成された頭部１２ｂとからなり、雌ねじ部１２ａがパイプ部材１０の他端部（図３では左端部）からその内部に挿入し、頭部１２ｂがバンド取付部２における一対の取付突起部５の他方（図３では左端部側）に位置する取付孔７の座ぐり部７ｂ内に配置されるように構成されている。
【００１７】
この場合、第２のねじ部材１２は、その雌ねじ部１２ａの外径Ｒ１がパイプ部材１０の内径Ｒ２よりも小さく（Ｒ１＜Ｒ２）形成されている。このため、第２のねじ部材１２における雌ねじ部１２ａの外周面とパイプ部材１０の内周面との間には、隙間Ｓ２が形成されている。これにより、第１、第２の各ねじ部材１１、１２の各ねじ部１１ａ、１２ａは、パイプ部材１０内で自由に回転方向と軸方向とに移動するように構成されている。
【００１８】
また、この第２のねじ部材１２は、その雌ねじ部１２ａの長さＫ３がパイプ部材１０の長さＫ１よりも長く（Ｋ３＞Ｋ１≧Ｋ２）形成されている。このため、第２のねじ部材１２は、パイプ部材１０の他端部（図３では左端部）から挿入されて、頭部１２ｂが一対の取付突起部５の各取付孔７における外部側に位置する各座ぐり部７ｂに配置された状態のときに、図４に示すように、雌ねじ部１２ａの先端部（図４では右端部側）がパイプ部材１０の一端部（図４では右端部）から少し突出するように構成されている。
【００１９】
さらに、この第２のねじ部材１２は、図４に示すように、その先端部（図４では右端部）のねじ穴１２ｃに第１のねじ部材１１の雄ねじ部１１ａが螺合すると、第１のねじ部材１１の頭部１１ｂが第２のねじ部材１２における雌ねじ部１２ａの先端部（図４では右端部側）に当接することにより、第１、第２の各ねじ部材１１、１２の各頭部１１ｂ、１２ｂがパイプ部材１０の両端部および一対の取付突起部５の各取付孔７における座ぐり部７ｂの各底部に接触せず、これらの間に隙間Ｓ３を形成するように構成されている。
【００２０】
次に、このような腕時計ケース１に時計バンド３を取り付ける場合について説明する。
この場合には、まず、腕時計ケース１のバンド取付部２に時計バンド３の先端部を対応させ、この状態でバンド取付部２の装着凹部６に時計バンド３の装着凸部８を挿入し、この装着凸部８に設けられた貫通孔９をバンド取付部２の一対の取付突起部５にそれぞれ設けられた各取付孔７に対応させて、装着凸部８の貫通孔９と一対の取付突起部５の各取付孔７とを連続させる。
【００２１】
この状態で、パイプ部材１０を一対の取付突起部５の一方の取付孔７から時計バンド３の貫通孔９内に挿入して他方の取付孔７に挿入させる。このときには、パイプ部材１０の長さＫ１が一対の取付突起部５にそれぞれ互いに対向して設けられた各取付孔７の小径部７ａに跨る長さＫ２とほぼ同じか、それよりも少し長く（Ｋ１≧Ｋ２）形成されているので、パイプ部材１０は、一対の取付突起部５における各取付孔７の各小径部７ａおよび貫通孔９内に連続して配置される。
【００２２】
この後、パイプ部材１０の一方（図３では左側）の端部内に第２のねじ部材１２を挿入し、パイプ部材１０の他方（図３では右側）の端部内に第１のねじ部材１１を挿入し、この第１のねじ部材１１の雄ねじ部１１ａを第２のねじ部材１２の雌ねじ部１２ａにおける先端側のねじ穴１２ｃに螺入させて、第１のねじ部材１１の雄ねじ部１１ａを第２のねじ部材１２のねじ穴１２ｃに螺合させる。これにより、腕時計ケース１のバンド取付部２に時計バンド３が取り付けられる。
【００２３】
このときには、第２のねじ部材１２における雌ねじ部１２ａの外径Ｒ１がパイプ部材１０の内径Ｒ２よりも小さく（Ｒ１＜Ｒ２）形成されているので、図３に示すように、第２のねじ部材１２における雌ねじ部１２ａの外周面とパイプ部材１０の内周面との間に隙間Ｓ２が形成される。これにより、第１、第２の各ねじ部材１１、１２の各ねじ部１１ａ、１２ａは、パイプ部材１０内で自由に回転方向と軸方向とに移動可能な状態になる。
【００２４】
また、このときには、第２のねじ部材１２における雌ねじ部１２ａの長さＫ３がパイプ部材１０の長さＫ１よりも長く（Ｋ３＞Ｋ１）形成されているので、第２のねじ部材１２の雌ねじ部１２ａにおける先端部側（図４では右端部側）のねじ穴１２ｃに第１のねじ部材１１の雄ねじ部１１ａが螺合すると、第１のねじ部材１１の頭部１１ｂが雌ねじ部１２ａの先端部（図４では右端部）に当接する。これにより、第１、第２の各ねじ部材１１、１２の各頭部１１ｂ、１２ｂは、パイプ部材１０の両端部および一対の取付突起部５の各取付孔７における座ぐり部７ｂの各底部に接触せず、これらの間に隙間Ｓ３を形成する。
【００２５】
この状態では、腕時計ケース１に対して時計バンド３がパイプ部材１０を中心に相対的に回転すると、腕時計ケース１に対する時計バンド３の相対的な回転力が、パイプ部材１０に伝わっても、第１、第２の各ねじ部材１１、１２の各ねじ部１１ａ、１２ａの外周面とパイプ部材１０の内周面との間に隙間Ｓ２が形成されていることにより、腕時計ケース１に対する時計バンド３の相対的な回転力が第１、第２の各ねじ部材１１、１２に加わることがない。
【００２６】
また、このときには、第１、第２の各ねじ部材１１、１２の各頭部１１ｂ、１２ｂがパイプ部材１０の両端部および一対の取付突起部５の各取付孔７における座ぐり部７ｂの各底部に接触せず、これらの間に隙間Ｓ３が形成されているので、これによっても時計バンド３による相対的な回転力が第１、第２の各ねじ部材１１、１２に加わることがない。このため、時計バンド３が腕時計ケース１に対してパイプ部材１０を中心に相対的に回転しても、第１、第２の各ねじ部材１１、１２が緩むことがない。
【００２７】
このように、この時計バンド３の取付構造によれば、腕時計ケース１の側部に設けられた一対の取付突起部５の各取付孔７と時計バンド３の装着凸部８に設けられた貫通孔９とにパイプ部材１０を挿入し、このパイプ部材１０の両側から第１、第２の各ねじ部材１１、１２を挿入させて螺合させた際に、パイプ部材１０と第１、第２の各ねじ部材１１、１２との間に隙間Ｓ２、Ｓ３を設けているので、腕時計ケース１に対して時計バンド３を相対的に回転させた際、その回転力がパイプ部材１０に伝わっても、パイプ部材１０と第１、第２の各ねじ部材１１、１２との間の隙間Ｓ２、Ｓ３によって、第１、第２の各ねじ部材１１、１２に伝わることがない。このため、各ねじ部材１１、１２が緩むことがないので、確実に時計バンド３を腕時計ケース１に取り付けることができる。
【００２８】
この場合、第２のねじ部材１２は、その雌ねじ部１２ａの外径Ｒ１がパイプ部材１０の内径Ｒ２よりも小さく（Ｒ１＜Ｒ２）形成されているので、第２のねじ部材１２の雌ねじ部１２ａの外周面とパイプ部材１０の内周面との間に隙間Ｓ２を形成することができる。これにより、第１、第２の各ねじ部材１１、１２の各ねじ部１１ａ、１２ａをパイプ部材１０内で自由に回転方向と軸方向とに移動させることができるので、腕時計ケース１に対する時計バンド３の相対的な回転力が、パイプ部材１０に伝わっても、第１、第２の各ねじ部材１１、１２に伝わるのを防ぐことができる。
【００２９】
また、パイプ部材１０はその長さＫ１がバンド取付部２の一対の取付突起部５にそれぞれ設けられた各取付孔７の小径部７ａに跨る長さＫ２とほぼ同じかそれよりも長く（Ｋ１≧Ｋ２）形成されており、第２のねじ部材１２は雌ねじ部１２ａの長さＫ３がパイプ部材１０の長さＫ１よりも長く（Ｋ３＞Ｋ１≧Ｋ２）形成されているので、第２のねじ部材１２の雌ねじ部１２ａにおける先端部（図４では右端部）のねじ穴１２ｃに第１のねじ部材１１の雄ねじ部１１ａが螺合すると、第１のねじ部材１１の頭部１１ｂを雌ねじ部１２ａの先端部（図４では右端部側）に当接させることができる。
【００３０】
このため、第１、第２の各ねじ部材１１、１２の各頭部１１ｂ、１２ｂがパイプ部材１０の両端部および一対の取付突起部５の各取付孔７における座ぐり部７ｂの各底部に接触せず、これらの間に隙間Ｓ３を形成することができるので、腕時計ケース１に対する時計バンド３の相対的な回転力が、パイプ部材１０に伝わっても、第１、第２の各ねじ部材１１、１２に伝わるのを防ぐことができる。これにより、第１、第２の各ねじ部材１１、１２が緩むのを確実に防ぐことができるので、時計バンド３を確実に腕時計ケース１に取り付けることができる。
【００３１】
（実施形態２）
次に、図５および図６を参照して、この発明を腕時計に適用した実施形態２について説明する。なお、図１〜図４に示された実施形態１と同一部分には同一符号を付して説明する。
この腕時計は、バンド取付部２の一対の取付突起部５にそれぞれ設けられた各取付孔７と時計バンド３の貫通孔９とに挿入するパイプ部材２０の長さＫ４を実施形態１よりも短く形成した構成であり、これ以外は実施形態１とほぼ同じ構成になっている。
【００３２】
すなわち、このパイプ部材２０は、その長さＫ４が一対の取付突起部５にそれぞれ設けられた各取付孔７の小径部７ａに跨る長さＫ２と同じか、それよりも短く（Ｋ４≦Ｋ２）形成されている。これに伴って、第２のねじ部材１２は、その雌ねじ部１２ａの長さＫ３がパイプ部材２０の長さＫ４よりも十分に長く、且つ一対の取付突起部５にそれぞれ設けられた各取付孔７の小径部７ａに跨る長さＫ２よりも少し長く（Ｋ３＞Ｋ２＞Ｋ４）形成されている。
【００３３】
このため、第２のねじ部材１２は、その雌ねじ部１２ａがパイプ部材２０の他端部（図５では左端部）から挿入されて、頭部１２ｂが一対の取付突起部５の他端部側（図５では左端部側）に位置する取付孔７の座ぐり部７ｂに配置された状態のときに、図６に示すように、雌ねじ部１２ａの先端部（図５では右端部）がパイプ部材２０の一端部（図５では右端部）に対応する取付孔７の小径部７ａから座ぐり部７ｂ内に少し突出するように構成されている。
【００３４】
また、この第２のねじ部材１２は、図６に示すように、その雌ねじ部１２ａの先端部側（図６では右端部側）のねじ穴１２ｃに第１のねじ部材１１の雄ねじ部１１ａが螺合すると、第１のねじ部材１１の頭部１１ｂが第２のねじ部材１２における雌ねじ部１２ａの先端部（図６では右端部）に当接することにより、図５に示すように、第１、第２の各ねじ部材１１、１２の各頭部１１ｂ、１２ｂが一対の取付突起部５の各取付孔７における座ぐり部７ｂの各底部に接触せず、これらの間に隙間Ｓ４を形成するように構成されている。
【００３５】
このような時計バンド３の取付構造においても、実施形態１と同様、腕時計ケース１の側部に設けられた一対の取付突起部５の各取付孔７と時計バンド３の装着凸部８に設けられた貫通孔９とにパイプ部材２０を挿入し、このパイプ部材２０の両側から第１、第２の各ねじ部材１１、１２を挿入させて螺合させた際に、パイプ部材２０と第１、第２の各ねじ部材１１、１２との間に隙間Ｓ２、Ｓ４を設けているので、腕時計ケース１に対して時計バンド３を相対的に回転させた際、その回転力がパイプ部材２０に伝わっても、第１、第２の各ねじ部材１１、１２に伝わることがない。このため、各ねじ部材１１、１２が緩むことがないので、確実に時計バンド３を腕時計ケース１に取り付けることができる。
【００３６】
この場合、パイプ部材２０の長さＫ４がバンド取付部２の一対の取付突起部５にそれぞれ設けられた各取付孔７の小径部７ａに跨る長さＫ２とほぼ同じかそれよりも短く（Ｋ４≦Ｋ２）形成されており、第２のねじ部材１２は雌ねじ部１２ａの長さＫ３が一対の取付突起部５にそれぞれ設けられた各取付孔７の小径部７ａに跨る長さＫ２よりも少し長く（Ｋ３＞Ｋ２≧Ｋ４）形成されているので、第２のねじ部材１２の雌ねじ部１２ａにおける先端部側（図６では右端部側）のねじ穴１２ｃに第１のねじ部材１１の雄ねじ部１１ａが螺合すると、第１のねじ部材１１の頭部１１ｂを雌ねじ部１２ａの先端部（図６では右端部）に当接させることができる。
【００３７】
このため、第１、第２の各ねじ部材１１、１２の各頭部１１ｂ、１２ｂがパイプ部材１０の両端部および一対の取付突起部５の各取付孔７における座ぐり部７ｂの各底部に接触せず、これらの間に隙間Ｓ４を形成することができるので、腕時計ケース１に対する時計バンド３の相対的な回転力が、パイプ部材２０に伝わっても、第１、第２の各ねじ部材１１、１２に伝わるのを防ぐことができる。これにより、第１、第２の各ねじ部材１１、１２が緩むのを確実に防ぐことができるので、時計バンド３を確実に腕時計ケース１に取り付けることができる。
【００３８】
なお、前記実施形態１、２では、腕時計ケース１の側部に設けられたバンド取付部２の一対の取付突起部５にそれぞれ設けられた各取付孔７が、小径部７ａと座ぐり部７ｂとを有する構成である場合について述べたが、必ずしも座ぐり部７ｂを設ける必要はなく、小径部７ａのみで取付孔を形成した構成であっても良い。
【図面の簡単な説明】
【００３９】
【図１】この発明を適用した腕時計の実施形態１を示した要部の拡大断面図である。
【図２】図１の腕時計における時計バンドの取付構造を分解して示した要部の拡大断面図である。
【図３】図１における時計バンドの取付構造を更に拡大して示した要部の断面図である。
【図４】図３の要部を更に拡大して示した断面図である。
【図５】この発明を適用した腕時計の実施形態２において要部を拡大して示した断面図である。
【図６】図５の要部を更に拡大して示した断面図である。
【符号の説明】
【００４０】
１  腕時計ケース
２  バンド取付部
３  時計バンド
４  バンド取付部材
５  一対の取付突起部
６  装着凹部
７  取付孔
７ａ  小径部
７ｂ  座ぐり部
８  装着凸部
９  貫通孔
１０、２０  パイプ部材
１１  第１のねじ部材
１１ａ  雄ねじ部
１１ｂ  頭部
１２  第２のねじ部材
１２ａ  雌ねじ部
１２ｂ  頭部
１２ｃ  ねじ穴
Ｋ１、Ｋ４  パイプ部材の長さ
Ｋ２  各取付孔の小径部に跨る長さ
Ｋ３  第２のねじ部材における雌ねじ部の長さ
Ｒ１  第２のねじ部材における雌ねじ部の外径
Ｒ２  パイプ部材の内径
Ｓ２、Ｓ３、Ｓ４  隙間
【図１】
2010112921.tif 000003
【図２】
2010112921.tif 000004
【図３】
2010112921.tif 000005
【図４】
2010112921.tif 000006
【図５】
2010112921.tif 000007
【図６】
2010112921.tif 000008